(57)【特許請求の範囲】
【請求項１】
玄米を投入する投入ホッパ（９）を備え、前記投入ホッパ（９）の投入口（８）を上下方向に昇降して開閉する開閉扉（１２）と、該開閉扉（１２）に前記開閉扉（１２）と共に上下昇降する穀物袋用の載置台（１５）を設け、前記開閉扉（１２）が前記投入ホッパ（９）の投入口閉状態の時には、前記載置台（１５）が床面に接近する待機姿勢とし、前記開閉扉（１２）が前記投入ホッパ（９）の投入口開状態の時には、前記載置台（１５）が前記投入ホッパ（９）の前記投入口（８）と略同じ高さの玄米投入姿勢としてあることを特徴とする精米設備。
【請求項２】
前記開閉扉（１２）の下部に前記載置台（１５）を吊り下げ支持する載置台支持部材（１６）を形成し、前記載置台支持部材（１６）は、前記載置台（１５）の左右両側を支持し、左右の前記載置台支持部材（１６，１６）間は開口部（１７）を設けてあることを特徴とする請求項１記載の精米設備。
【請求項３】
前記載置台支持部材（１６）が前記待機姿勢から前記玄米投入姿勢に上昇するまでに前記開口部（１７）の背面を閉鎖する閉鎖板（１８）を設けてあることを特徴とする請求項２記載の精米設備。
【請求項４】
前記載置台（１５）には枠部（１５ａ）を設けてあることを特徴とする請求項１又は請求項２又は請求項３記載の精米設備。
【請求項５】
前記開閉扉（１２）を昇降させる手動昇降スイッチ（２０）と、前記載置台（１５）に穀物袋（ｈ）を載置したことを検出する袋検出体（１９）を備え、料金投入後、前記袋検出体（１９）が前記穀物袋（ｈ）を検出しないと前記開閉扉（１２）は自動で開位置まで上昇し、料金投入後、前記袋検出体（１９）が前記穀物袋（ｈ）を検出すると前記手動昇降スイッチ（２０）の操作で上昇するように構成してあることを特徴とする請求項１又は請求項２又は請求項３又は請求項４記載の精米設備。
【発明の詳細な説明】
【技術分野】
【０００１】
この発明は、精米設備に関する。
【背景技術】
【０００２】
従来、特許文献１では、精米運転していない時に、悪戯による投入ホッパの投入口への異物等の投げ入れを防止するために開閉扉を設ける構成が開示されている。
【０００３】
特許文献２では、図８及び図９に示されているように、利用者が持参した穀物袋を投入ホッパ高さまで持ち上げる昇降式の載置台を設ける構成が開示され、また、特許文献３では、投入ホッパの投入口を閉鎖している投入シャッタが回動及び下降して穀物袋を載置し、上昇する構成が開示されている。
【先行技術文献】
【特許文献】
【０００４】
【特許文献１】特許４３９３３０９号公報
【特許文献２】特開２００８−１９４５５７号公報
【特許文献３】特開２０１０−２７４１９７号公報
【発明の概要】
【発明が解決しようとする課題】
【０００５】
特許文献１においては、建屋式の精米設備において、投入ホッパは床面から比較的高い位置にあり、利用者は約３０ｋｇの重い持参玄米を投入ホッパの投入位置まで持ち上げなければならない。
【０００６】
特許文献２においては、精米運転しない時に、悪戯による投入ホッパの投入口への異物等の投げ入れを防止できない。
【０００７】
特許文献３においては、投入シャッタが利用者側に向かって開くので、安全面において問題がある。
【０００８】
本発明の課題は、精米運転しない時の投入ホッパへの異物投入を防止すると共に、利用者が持参した穀物袋を持ち上げる負担を小さくし、また、安全性においても解決することを目的とする。
【課題を解決するための手段】
【０００９】
この発明は、上記課題を解決すべく次のような技術的手段を講じた。
【００１０】
すなわち、請求項１記載の本発明は、玄米を投入する投入ホッパ（９）を備え、前記投入ホッパ（９）の投入口（８）を上下方向に昇降して開閉する開閉扉（１２）と、該開閉扉（１２）に前記開閉扉（１２）と共に上下昇降する穀物袋用の載置台（１５）を設け、前記開閉扉（１２）が前記投入ホッパ（９）の投入口閉状態の時には、前記載置台（１５）が床面に接近する待機姿勢とし、前記開閉扉（１２）が前記投入ホッパ（９）の投入口開状態の時には、前記載置台（１５）が前記投入ホッパ（９）の前記投入口（８）と略同じ高さの玄米投入姿勢としてあることを特徴とする。
【００１１】
精米運転しない時は、開閉扉（１２）が下降して投入ホッパ（９）の投入口閉状態にあるため、投入ホッパへの異物投入を防止できる。
【００１２】
精米運転する時は、投入ホッパ（９）の投入口（８）を開き、同時に載置台（１５）に載せた穀物袋（ｈ）もホッパ投入口まで持ち上げられるため、利用者が持参した穀物袋（ｈ）を持ち上げる負担が小さくて済む。
【００１３】
請求項２記載の本発明は、請求項１において、前記開閉扉（１２）の下部に前記載置台（１５）を吊り下げ支持する載置台支持部材（１６）を形成し、前記載置台支持部材（１６）は、前記載置台（１５）の左右両側を支持し、左右の前記載置台支持部材（１６，１６）間は開口部（１７）を設けてあることを特徴とする。
【００１４】
載置台（１５）が投入ホッパ投入口（８）と略同じ高さ位置にあるとき、載置台に載置する穀物袋内の玄米を開口部（１７）から投入ホッパ（９）内に投入し易くなる。
【００１５】
請求項３記載の本発明は、請求項２において、前記載置台支持部材（１６）が前記待機姿勢から前記玄米投入姿勢に上昇するまでに前記開口部（１７）の背面を閉鎖する閉鎖板（１８）を設けてあることを特徴とする。
【００１６】
上記構成によると、載置台（１５）に載置する穀物袋（ｈ）が上昇中に開口部（１７）から倒れるのを防止できる。
【００１７】
請求項４記載の本発明は、請求項１又は請求項２又は請求項３において、前記載置台（１５）には枠部（１５ａ）を設けてあることを特徴とする。
【００１８】
上記構成によると、載置台（１５）の外側に枠部（１５ａ）があるため、穀物袋（ｈ）を載置し易くなり、載置台が待機姿勢の時に利用者が誤って足を踏み難いので安全である。
【００１９】
請求項５記載の本発明は、請求項１又は請求項２又は請求項３又は請求項４において、前記開閉扉（１２）を昇降させる手動昇降スイッチ（２０）と、前記載置台（１５）に穀物袋（ｈ）を載置したことを検出する袋検出体（１９）を備え、料金投入後、前記袋検出体（１９）が前記穀物袋（ｈ）を検出しないと前記開閉扉（１２）は自動で開位置まで上昇し、料金投入後、前記袋検出体（１９）が前記穀物袋（ｈ）を検出すると前記手動昇降スイッチ（２０）の操作で上昇するように構成してあることを特徴とする。
【００２０】
上記構成によると、利用者は持参した穀物袋（ｈ）を載置台（１５）に載せた時は、手動で上昇させるので安全であり、穀物袋（ｈ）を載置台（１５）に載せない時（利用者が自分で穀物袋（ｈ）を持ち上げて玄米を投入する時）には、自動的に開閉扉（１２）が上昇するため、利用者に操作の手間がかからない。
【発明の効果】
【００２１】
以上要するに、請求項１記載の本発明によれば、精米運転しない時の投入ホッパへの異物投入を防止すると共に、利用者が持参した穀物袋を持ち上げる負担を小さくすることができる。
【００２２】
請求項２記載の本発明によれば、請求項１記載の本発明の効果に加えて、載置台が投入ホッパ投入口と略同じ高さ位置にあるとき、載置台に載置する穀物袋内の玄米を開口部から投入ホッパ内に投入し易くなる。
【００２３】
請求項３記載の本発明によれば、請求項２記載の本発明の効果に加えて、載置台に載置する穀物袋が上昇中に開口部から倒れるのを防止できる。
【００２４】
請求項４記載の本発明によれば、請求項１又は請求項２又は請求項３記載の本発明の効果に加えて、載置台の外側に枠部があるため、穀物袋を載置し易くなり、載置台が待機姿勢の時に利用者が誤って足を踏み難いので安全である。
【００２５】
請求項５記載の本発明は、請求項１又は請求項２又は請求項３又は請求項４記載の本発明の効果に加えて、利用者は持参した穀物袋を載置台に載せた時は、手動で上昇させるので安全であり、穀物袋を載置台に載せない時には、自動的に開閉扉が上昇するため、利用者に操作の手間がかからない。
【図面の簡単な説明】
【００２６】
【図１】コイン精米機の平面図
【図２】精米処理行程を示すブロック図
【図３】穀物袋載置台及び開閉扉の要部の斜視図
【図４】穀物袋載置台の待機姿勢のコイン精米機要部の正面図
【図５】穀物袋載置台の投入姿勢のコイン精米機要部の正面図
【図６】コイン精米機の制御回路ブロック図
【図７】精米設備のフローチャート
【発明を実施するための形態】
【００２７】
この発明の実施例を図面に基づき説明する。
【００２８】
図面において、コイン精米機は建屋のハウス１内を仕切壁２で仕切り、操作室３と精米装置（精米機）４や石抜選別装置（石抜機）５等を設置する機械室６が区画構成されている。
【００２９】
コイン精米機を利用する利用者は、操作室３のドア口７から入り、精米しようとする玄米を持ち込んで投入口８から投入ホッパ９へ供給して精米装置４による精米を行い、白米として白米タンク１０に取り出すようになっている。
【００３０】
前記仕切壁２には、中央部に操作盤１１、投入ホッパ９の手前側に投入口８を開閉する開閉扉１２が設けられている。
【００３１】
前記機械室６内には、石抜選別装置５や精米装置４が配置され、そして、これらの間には昇降装置（昇降機）１４ａ，１４ｂなどが配置されている。なお、昇降装置１４ａには、投入ホッパ８から下部のロータリバルブ１３を介して玄米が送られるようになっている。
【００３２】
前記開閉扉１２は、上下方向に昇降して投入口８開閉する構成になっており、その前側には該開閉扉１２と共に上下に昇降する穀物袋用の載置台１５が設置されている。
【００３３】
開閉扉１２が投入ホッパ９の投入口８を閉じた状態の時には、載置台１５が床面に接近する待機姿勢（図４参照）とし、開閉扉１２が投入ホッパの投入口を開いた状態の時には、載置台１５が投入ホッパ９の投入口８と略同じ高さの玄米投入姿勢（図５参照）となるように構成されている。
【００３４】
また、前記開閉扉１２の下部には載置台１５を吊り下げ支持する載置台支持部材１６が形成され、そして、載置台支持部材１６は、載置台１５の左右両側を支持するようになっており、左右の載置台支持部材１６，１６間には開口部１７が設けられている。この開口部１７を利用して、載置台１５がホッパ投入口８と略同じ高さ位置に達した時、穀物袋内の玄米を投入ホッパ９内へ投入するようになっている。
【００３５】
前記開口部１７には、載置台支持部材１６が待機姿勢から玄米投入姿勢に上昇するまでは、穀物袋ｈが開口部から倒れるのを防止するため、該開口部の背面を閉鎖する閉鎖板１８が設けられるようになっている。
【００３６】
また、前記載置台１５には、利用者が足の踏み込みを防止するため、その外縁部に枠部１５ａが設けられ、しかも、載せ面の中央側に穀物袋ｈを載置したことを検出する袋検出体１９が設けられている。
【００３７】
前記操作盤１１には、開閉扉１２を手動的に昇降させる昇降スイッチ２０、コイン投入口２１や精米運転の精白度を決めて精米を開始する精白度選択センサ２３等が備えられている。
【００３８】
料金投入後、投入ホッパ９に玄米を投入し、精白度選択スイッチ２６を操作すると、制御部２４からの出力によってロータリバルブ１３が駆動を開始して精米装置による玄米の精米作業が行われる。
【００３９】
コイン投入口２１から料金を投入する料金投入後（料金投入センサ２２の検出後）において、載置台１５に穀物袋ｈを載置したことを検出する袋検出体１９が穀物袋ｈを検出しない場合は、開閉扉１２はクリーニングモード後に自動で開位置まで上昇し、料金投入後、袋検出体１９が穀物袋ｈを検出すると昇降スイッチ２０の操作で上昇するように構成されている。
【００４０】
なお、手動昇降スイッチによる上昇速度は、自動による上昇速度より遅くしておくと、上昇中は穀物袋ｈが倒れ難くなる。
【００４１】
投入ホッパ９には、玄米が残留した状態か否かを検出する穀物有無検出センサ２３が設けられ、また、精米作業前にはクリーニング動作を行って機内残留米を少なくするためのクリーニング機構が設けられており、投入ホッパに装備したソレノイドを動作させ網上の残留米を振動で落し、昇降装置１４、石抜選別装置５を経由して残留米排出ボックス２５に排出するようになっている。
【００４２】
なお、精米運転中は、手動昇降スイッチを操作可能とし、「玄米無し」を検出すると操作を規制するようにすることで、精米運転中は追加玄米を昇降できることになる。
【００４３】
図７に示すフローチャートにおいて、料金投入すると、ロータリバルブ１３・昇降機１４・石抜機５が所定時間駆動してクリーニングモードとなり、載置台１５に穀物袋ｈを置いていることを検出した場合は、手動昇降スイッチ２０による開閉扉１２・載置台１５が上昇し、載置台１５に穀物袋ｈを検出していないことを検出した場合は、クリーニングモード終了後、開閉扉１２・載置台１５は自動的に上昇する。
【００４４】
そして、投入ホッパ９に穀物を投入すると、精白度選択スイッチ２６を選択して精米運転を開始する。そして、料金分の精米時間経過又は投入ホッパの穀物の精米処理終了の場合は、精米設備停止し、開閉扉１２は自動的に下降して閉鎖する。
【符号の説明】
【００４５】
８  ホッパ投入口
９  投入ホッパ
１２  開閉扉
１５  載置台
１６  載置台支持部材
１７  開口部
１８  閉鎖板
１９  袋検出体
２０  手動用昇降スイッチ
ｈ  穀物袋
【図１】
0006565782.tif 000002
【図２】
0006565782.tif 000003
【図３】
0006565782.tif 000004
【図４】
0006565782.tif 000005
【図５】
0006565782.tif 000006
【図６】
0006565782.tif 000007
【図７】
0006565782.tif 000008